(57)【要約】  包装されるべき複数の物を収容するための補強された箱１は、底面壁３及び上面壁４と、一対の第１の側面壁５、５’及び一対の第２の側面壁６、６’とを含む。底面壁３、上面壁４及び一対の第１の側面壁５、５’は、長手方向軸Ｌに沿って延び横断折り目線９を用いて形成されているワンピースの長い要素８から形成されている。一対の第２の側面壁６、６’は、２つの別々の板紙パネル２２、２３からなり、壁３、４、５、５’、６、６’のそれぞれは、一対の第１の及び一対の第２の折り曲げられた側翼部１４、１４’、１５、１５’を画定する長手方向折り目線１３を用いて形成されている。一対の第２の側面壁６、６’は、底面壁３に重なるそれぞれの第２の側面壁１５によって、底面壁３に接着されて、その長手方向の縁を補強している。補強された構造を有する箱１を作製する方法。
2020503222.tif 000002
【特許請求の範囲】
【請求項１】
包装されるべき複数の物を収容するための補強された箱（１）であって、
底面壁（３）及び上面壁（４）と、
一対の第１の側面壁（５、５’）及び一対の第２の側面壁（６、６’）とを含み、
前記底面壁（３）、前記上面壁（４）及び前記一対の第１の側面壁（５、５’）は、長手方向軸（Ｌ）に沿って延び横断折り目線（９）が設けられているワンピースの長い要素（８）によって形成され、
前記一対の第２の側面壁（６、６’）は、２つの別々の板紙パネル（２２、２３）によって形成され、
折り目線（１３）が、設けられ、前記底面壁（３）と前記上面壁（４）に、及び前記一対の第１の側面壁（５、５’）に、第１の側翼部（１４、１４’）を画定し、前記一対の第２の側面壁（６、６’）に第２の側翼部（１５、１５’）を画定する補強された箱（１）において、
前記第２の側面壁（６、６’）のそれぞれが、前記底面壁（３）に重なるそれぞれの第２の側翼部（１５）によって前記底面壁（３）に接着されてその長手方向の縁を補強し、前記箱（１）に対してより大きな安定性並びに曲げ及び圧縮強さを与えるために、前記箱（１）が組み立てられた状態で、前記一対の第１の側面壁（５、５’）は、前記一対の第２の側面壁（６、６’）の波型（２）の第２の伸長線（ｘ、ｘ１、・・・、ｘｎ）に実質的に垂直な第１の伸長線（ｙ、ｙ１、・・・、ｙｎ）をもつ波型（２’）を有することを特徴とする補強された箱（１）。
【請求項２】
組み立てられた状態において、前記一対の第１の側面壁（５、５’）は、前記一対の第２の側面壁（６、６’）に垂直であることを特徴とする請求項１に記載の箱。
【請求項３】
組み立てられていない状態において、前記第１の伸長線（ｙ、ｙ１、・・・、ｙｎ）は、前記一対の第２の側面壁（６、６’）の前記第２の伸長線（ｘ、ｘ１、・・・、ｘｎ）に実質的に平行であり、前記長手方向軸（Ｌ）に実質的に垂直であることを特徴とする請求項２に記載の箱。
【請求項４】
前記一対の第２の側面壁（６、６’）の前記それぞれの第２の側翼部（１５）は、前記底面壁（３）の前記長手方向折り目線（１３）に実質的に重なる前記長手方向折り目線（１３）を用いて前記底面壁（３）に接着され、前記底面壁（３）の前記第１の側翼部（１４、１４’）は、前記第２の側面壁（６、６’）の前記外表面（１８）に接着されていることを特徴とする請求項１に記載の箱。
【請求項５】
前記底面壁（３）に接着されたものとは反対を向いている前記第２の側面壁（６、６’）のそれぞれの前記第２の側翼部（１５’）は、前記箱（１）が組み立てられた状態にあるときに、前記上面壁（４）、前記第２の側面壁（６、６’）の前記外表面（１８）に接着されている前記上面壁（４）の前記第１の側翼部（１４、１４’）に接着されていることを特徴とする請求項１に記載の箱。
【請求項６】
前記第１の側面壁（５、５’）、前記第２の側面壁（６、６’）、前記底面壁（３）及び前記上面壁（４）は、実質的に同一の幅（ｌ）を有することを特徴とする請求項１に記載の箱。
【請求項７】
前記第１の側面壁（５、５’）の前記第１の側翼部（１４、１４’）は、前記箱（１）が組み立てられた状態にあるときに、前記第２の側面壁（６、６’）の前記内表面（２０）に接着されていることを特徴とする請求項１に記載の箱。
【請求項８】
前記上面壁（４）は、組み立てられた状態において前記第１の側面壁（５）のうちの１つの前記外表面（１２）に接着されている折れ曲がる翼部（１１）を含むことを特徴とする請求項１に記載の箱。
【請求項９】
補強された構造を有する箱（１）を作製する方法であって、包装されるべき複数の物を収容するように適合され、
ａ）所定の長さのワンピースのシートを提供するステップと、
ｂ）長手方向軸（Ｌ）を規定する所定の幅（ｌ）のストリップ（２１）を得るように実質的に平行な一対の長手方向の線に沿って前記シートを切るステップと、
ｃ）長い要素（８）及び２つの別々の端パネル（２２、２３）を画定するように一対の横断線に沿って前記ストリップ（２１）を切るステップと、
ｄ）一対の第１の側面壁（５、５’）に対し互い違いになる底面壁（３）及び上面壁（４）を形成するように設計されている複数の連続するパネルを生成するための複数の横断折り目線（９）、及び前記パネル（３、４、５、５’）のそれぞれに一対の第１の側翼部（１４、１４’）を形成するための複数の長手方向折り目線（１３）を用いて前記長い要素（８）を形成するステップと、
ｅ）それぞれの第２の側翼部（１５、１５’）を形成するように長手方向折り目線（１３）を用いて前記別々の端パネル（２２、２３）を形成するステップと、
ｆ）前記上面壁（４）の前記横断縁（１０）に端翼部（１１）を形成するステップと、
ｇ）前記別々のパネル（２２、２３）の前記第２の側翼部（１５）のうちの１つを、第２の一対の側面壁（６、６’）を画定するように重なった前記それぞれの長手方向折り目線（１３）を用いて、前記底面壁（３）を形成するように設計された前記連続するパネルのうちの１つに接着するステップと、
ｈ）前記第２の側面壁（６、６’）を、前記底面壁（３）に実質的に垂直となるように、それぞれの長手方向折り目線（１３）に沿って直角に折り曲げるステップと、
ｉ）前記第１の側面壁（５、５’）を、前記底面壁（３）及び前記第２の側面壁（６、６’）に実質的に垂直になるように、それぞれの横断折り目線（９）に沿って直角に折り曲げるステップと、
ｊ）前記第１の壁（５、５’）の前記第１の側翼部（１４、１４’）を、直角に折り曲げる及び前記第２の側面壁（６、６’）の前記縁に接着するステップと、
ｋ）前記上面壁（４）を、前記側面壁（５、５’、６、６’）の前記上側縁に重なるように、直角に折る及び上面が開いた箱（１）を形成するステップと、
ｌ）包装されるべき前記物で前記開いた箱を満たすステップと、
ｍ）前記箱（１）を閉じるように、前記上面パネル（４）の前記翼部（１１、１４、１４’）を、前記側面パネル（５、６、６’）に接着するステップとを含む方法において、
前記一対の第１の側面壁（５、５’）は、前記箱が組み立てられていない状態にあるときに、前記一対の第２の側面壁（６、６’）の波型（２）の第２の伸長線（ｘ、ｘ１、・・・、ｘｎ）に実質的に平行な第１の伸長線（ｙ、ｙ１、・・・、ｙｎ）をもつ波型（２’）を有するように設計されていること、及び、前記第１の側面壁（５、５’）は、より大きな安定性並びに曲げ及び圧縮強さを前記箱（１）に与えるために、前記箱（１）が組み立てられた状態において、前記第２の伸長線（ｘ、ｘ１、・・・、ｘｎ）に実質的に垂直な前記第１の伸長線（ｙ、ｙ１、・・・、ｙｎ）を有するように設計されていることを特徴とする方法。
【請求項１０】
前記上面壁（４）を折り曲げる前記ステップｊ）を行う前に、前記底面壁（３）に接着されていない、前記第２の側面壁（６、６’）の前記第２の側翼部（１５’）は、前記上面壁（４）に接着されるように内側に直角に折り曲げられることを特徴とする請求項９に記載の方法。
【請求項１１】
前記接着するステップは、ホットメルト接着剤などを用いて行われることを特徴とする請求項９に記載の方法。
【発明の詳細な説明】
【技術分野】
【０００１】
本発明は、一般的には、包装の分野における応用性を見出し、詳細には、補強された構造を有する箱に関連する。
【０００２】
本発明は、また、補強された構造を有するかかる箱を作製する方法に関連する。
【背景技術】
【０００３】
箱は、包装の分野において長い間知られており、適切に形成された板紙シートから、折り目線に沿って折り曲げられて得られる。
【０００４】
すなわち、板紙シートは、一般的に、平面図において、それぞれの長手方向の又は横断折り目線に沿って複数の側面壁につながった底面壁をもつ、十字形状を有する。
【０００５】
側面壁は、共に折り曲げられて箱を形成し、その上面において蓋又は上面壁によって閉じられ、側面壁のうちの１つにつながっている。
【０００６】
かかる配列の第１の欠点は、ワンピースのシートを形成するために、その大きな部分が、除かれなければならず、一般的に再使用されることはできないことである。
【０００７】
これらの配列の更なる欠点は、箱が閉じられたとき、それらは、安定性に乏しく、特に輸送又は移動の間乏しい。
【０００８】
そのような欠点を少なくとも部分的に取り除くことを考慮して、別々のパネルを接着することによって形成された板紙シートから作製される、箱構造が開発された。
【０００９】
ＷＯ２０１３１２８３５９は、別々の、以前に切られたパネルを接着することによって形成された板紙シートから目的に合った箱を作製する方法を開示する。
【００１０】
すなわち、パネルは、板紙のワンピースのストリップを切ることによって得られ、それから箱の側面壁を形成するように設計されたパネルが折り目をつけられ、底面壁を形成するためにパネルの長手方向縁及び横断縁に接着され、折り曲げられて閉じた箱を形成する。
【００１１】
それにもかかわらず、上述した方法を用いて形成された箱は、不十分に安定な構造を有し、時間とともに、特に通常の移動や輸送の間に、曲がり、つぶれてしまうおそれがある。
【００１２】
米国特許第８３２３１６５号は、箱の側面壁を形成するように設計された２つのパネルが、箱の底面壁の役目をするパネルにおいて長い板紙要素に接着される、箱を作製する方法を開示する。
【００１３】
すなわち、底面壁は、その長手方向の縁に一対の翼部であって、折り曲げられて側面パネルの外表面に接着されるように適合され、側面パネルは予め配置されて箱の底を支持し補強するように接着される、一対の翼部を含む。
【００１４】
それにもかかわらず、そのようにして得られた箱の上面壁は、側面パネルに対し底面壁ほど安定な支持をもたらさない。従って、この種の箱もまた、時間とともに、主としてその上面部分において、変形するおそれがある。
【００１５】
更なる欠点は、かかる箱を製造する間、特にパネルを形成する及び切る間、かなりの材料の無駄が発生し、結果的にたいへん高い全体の製造コストとなることである。
【００１６】
米国特許第１６８４７２５号、米国特許第１７４３７０３号、米国特許第６１６８０７４号及び米国特許第４１８６８３４号は、請求項１のプリアンブルに規定されたすべての特徴をもつ板紙箱を開示している。
【先行技術文献】
【特許文献】
【００１７】
【特許文献１】ＷＯ２０１３１２８３５９
【特許文献２】米国特許第８３２３１６５号
【特許文献３】米国特許第１６８４７２５号
【特許文献４】米国特許第１７４３７０３号
【特許文献５】米国特許第６１６８０７４号
【特許文献６】米国特許第４１８６８３４号
【発明の概要】
【発明が解決しようとする課題】
【００１８】
先行技術を鑑みて、本発明によって扱われる技術的課題は、特に輸送の間、たいへん安定である、補強された構造を有する箱を提供すること、及び板紙の無駄を制限することができる、その箱を作製する方法にある。
【課題を解決するための手段】
【００１９】
本発明の目的は、たいへん効率的且つ相対的に費用効果の高い補強された構造を有する箱を提供することによって、上述の欠点を取り除くことである。
【００２０】
本発明の特別な目的は、特に輸送及び移動の間、たいへん安定である補強された構造を有する箱を提供することである。
【００２１】
本発明の更なる目的は、高い圧縮強さ及び曲げ強さをもつ補強された構造を有する箱を提供することである。
【００２２】
本発明の他の目的は、包装されるべき物で満たされたとき底面壁の崩壊を避ける補強された構造を有する箱を提供することである。
【００２３】
本発明の更なる目的は、接着テープを用いることなしに閉じられることができる補強された構造を有する箱を提供することである。
【００２４】
本発明のまた更なる目的は、板紙の無駄を制限することができる補強された構造を有する箱を作製する方法を提供することである。
【００２５】
これらの及び他の目的は、以下により分かりやすく説明されるように、底面壁、上面壁、一対の第１の側面壁及び一対の第２の側面壁を含む、請求項１に請求された補強された構造を有する箱によって、満たされる。
【００２６】
底面壁、上面壁及び第１の側面壁は、横断折り目線を用いて形成されたワンピースの長い要素からなり、一方、第２の側面壁は、２つの別々の板紙パネルからなる。
【００２７】
またさらに、すべての壁は、一対の側翼部を画定するように適合されている長手方向折り目線で形成されており、第２の側面壁は、底面壁に重なってその長手方向の縁を補強する、１つのそれぞれの摺動翼部を用いて、底面壁に接着される。
【００２８】
更なる態様において、本発明は、請求項９に規定された補強された構造を有する箱を作製する方法に関連する。
【００２９】
方法は、先ず、板紙のストリップを提供すること及びワンピースの長い板紙要素及び一対の別々のパネルを得るように板紙のストリップを一対の横断線に沿って切ることを含む。
【００３０】
これらは、後に、横断折り目線を用いて予め形成された底面壁において長い要素に接着され、折り返されて閉じた箱を形成する。
【００３１】
本発明の有利な実施例は、従属請求項によって得られる。
【００３２】
本発明の更なる特徴及び利点は、以下の図面の助けによって非限定的な実例として説明される、本発明による補強された構造を有する箱の好ましい非排他的な実施例の詳細な説明からより明らかになるであろう。
【図面の簡単な説明】
【００３３】
【図１】組み立てられた状態における本発明の箱の斜視図である。
【図２】組み立てられていない状態における図１の箱の上面図である。
【図３】図１の箱の詳細の正面断面図である。
【図４】組み立てられていない状態における図２の箱の正面断面図である。
【図５Ａ】本発明の箱を作製する方法のステップの斜視図である。
【図５Ｂ】本発明の箱を作製する方法のステップの斜視図である。
【図５Ｃ】本発明の箱を作製する方法のステップの斜視図である。
【図５Ｄ】本発明の箱を作製する方法のステップの斜視図である。
【図５Ｅ】本発明の箱を作製する方法のステップの斜視図である。
【図５Ｆ】本発明の箱を作製する方法のステップの斜視図である。
【図５Ｇ】本発明の箱を作製する方法のステップの斜視図である。
【図５Ｈ】本発明の箱を作製する方法のステップの斜視図である。
【発明を実施するための形態】
【００３４】
特に上述の図面を参照すると、数字１によって全般的に指示されている、補強された構造を有する箱が示され、箱は示されていない包装されるべき複数の物を収容するように適合されている。
【００３５】
箱１は、目的に合った種類のものであり、これは、それがそれに収容されることになる物の大きさ及び量に応じてその大きさ及び形状が選択的に変更されることもできることを、意味する。
【００３６】
有利にも、箱１は、複数の波型２を有する内層を収める一対の外層を有する、板紙などの、堅いシート材料で作製される。
【００３７】
図面の実施例において、箱１は、底面壁３及び上面壁４、一対の第１の側面壁５、５’及び一対の第２の側面壁６、６’を含む。
【００３８】
組み立てられた状態において、図１に示されているように、第１の側面壁５、５’及び第２の側面壁６、６’は、互いに直角であり、底面壁３によって底面において閉じられている、包装されるべき物を収容するための区画７を画定する。
【００３９】
底面壁３、上面壁４及び一対の第１の側面壁５、５’は、箱１が組み立てられていない状態に示されている、図２に示されているように、長手方向の軸Ｌを規定するワンピースの長い要素８から形成され、横断折り目線９を用いて形成されている。
【００４０】
すなわち、第１の側面壁５、５’は、長手方向に上面壁４と底面壁３からオフセットし上面壁４と底面壁３に互い違いに長い要素８上に配置され、横断折り目線９において上面壁４と底面壁３につなげられている。
【００４１】
さらにまた、折れ曲がる端翼部が、上面壁４の横断端縁１０に形成されており、箱１が閉じられると、第１の側面壁５のうちの１つの外表面１２に接着されることになるように設計されている。
【００４２】
第２の側面壁６、６’は、上面壁４及び底面壁３と同じ、並びに第１の側面壁５、５’と同じ、従って長い要素８と同じ幅ｌを有する２つの別々の板紙パネルからなる。
【００４３】
図２から図５Ｈに示されているように、底面壁３、上面壁４における及び第１の側面壁５、５’における一対の第１の横方向翼部１４、１４’、並びに第２の側面壁６、６’における一対の第２の側翼部１５、１５’を画定する、長手方向折り目線１３が、設けられている。さらにまた、折り目線１３は、それぞれの中央本体１６、１７の範囲を定める。
【００４４】
有利にも、図２に最もよく示されているように、第２の側面壁６、６’の第２の側翼部１５、１５’は、他の壁３、４、５、５’の第１の側翼部１４、１４’の横断幅ｌ２より大きな横断幅ｌ１を有することができる。
【００４５】
本発明の特別の態様によれば、第２の一対の側面壁６、６’は、それに重なってその長手方向の縁を補強するそれぞれの第２の側翼部１５によって、底面壁３に接着される。
【００４６】
特に、第２の側面壁６、６’は、底面壁３の折り目線１３に実質的に重なるそれぞれの第２の翼部１５の折り目線１３を用いて底面壁３に接着され、これによって平面図において十字形状を画定する。
【００４７】
この構成において、図２に最もよく示されているように、第２の側面壁６、６’のそれぞれの第２の翼部１５は、底面壁３の中央本体１６に重なり、一方、底面壁３の第１の側翼部１４、１４’は、それぞれの第２の側面壁６、６’の中央本体１７に重なる。
【００４８】
底面壁３の第１の側翼部１４、１４’は、第２の側面壁６、６’の外表面１８にその中央本体１７において接着される。
【００４９】
さらにまた、底面壁３につながっているものとは反対を向いている各第２の側面壁６、６’の第２の上側の側翼部１５’は、組み立てられた状態において、上面壁４の内表面１９に接着される。
【００５０】
好都合なことに、上面壁４の第１の側翼部１４、１４’は、底面壁３について上述したのと同様の仕方で、共に折り曲げられて、第２の側面壁６、６’の外表面１８に接着される。
【００５１】
このようにして、各第２の側面壁６、６’は、上面壁４及び底面壁３の第１の側翼部１４、１４’によって、その上面部分において及びその底面部分において、保持され、この構成は、箱１に対しより大きな安定性を確保する。
【００５２】
翼部１４、１４’、１５、１５’並びに第２の側面壁６、６’及び長い要素８上に形成された他の壁３、４、５、５’の両方の寸法は、また、本発明の範囲から逸脱することなく、箱１の所望の堅さに応じて変更されることができる。
【００５３】
第１の側面壁５、５’の第１の翼部１４、１４’は、箱１が組み立てられた状態にあるときに、第２の側面壁６、６’の内表面２０に接着されるように設計される。
【００５４】
処分の問題を伴うことになる接着テープを用いることなく、ホットメルト接着材を用いて、第２の側面壁６、６’は、底面壁３に接着され、上面壁４の第１の側翼部１４、１４’は、第２の側面壁６、６’の外表面１８に接着され、第１の側面壁５、５’の第１の側翼部１４、１４’は、第２の側面壁６、６’の内表面２０に接着される。
【００５５】
接着材の層は、第２の側面壁６、６’の第２の翼部１５、１５’の外表面１８にばかりでなく、底面壁３及び上面壁４並びに第１の側面壁５、５’の第１の側翼部１４、１４’に、上面壁４の横断翼部１１上にも、加えられてもよい。
【００５６】
より大きな曲げ及び圧縮強さばかりでなく追加の安定性を箱１に与えるために、図１に示されているように、箱１が組み立てられた状態で、第１の側面壁５、５’は、一対の第２の側面壁６、６’の波型２の第２の伸長線ｘ、ｘ１、・・・、ｘｎに実質的に垂直な第１の伸長線ｙ、ｙ１、・・・、ｙｎをもつ波型２’を有する。
【００５７】
さらにまた、図２に示されているように、箱１が組み立てられていない状態にあるときに、第１の伸長線ｙ、ｙ１、・・・、ｙｎは、第２の側面壁６、６’の第２の伸長線ｘ、ｘ１、・・・、ｘｎに実質的に平行であり、長手方向の軸Ｌに垂直である。
【００５８】
第２の側面壁６、６’の第２の波型２の第２の伸長線ｘ、ｘ１、・・・、ｘｎは、底面壁３及び上面壁４の波型２’’の第３の伸長線ｚ、ｚ１、・・・、ｚｎに垂直になることになる。
【００５９】
更なる態様によれば、本発明は、そのステップのいくつかが図５Ａから図５Ｈに示されている、包装されるべき複数の物を収容するための補強された構造を有する箱１を作製する方法に関連する。
【００６０】
その最も基本的な実施例では、本方法は、所定の長さの、図示されていない、ワンピースの板紙シートを提供するステップａ）、及び長手方向軸Ｌを規定する所定の幅ｌのストリップ２１を得るように一対の長手方向の線に沿ってシートを切るステップｂ）を含む。
【００６１】
後に、図５Ａに示されているように、上述したように長い要素８及び２つの別々の端パネル２２、２３を画定するように一対の横断線に沿ってストリップ２１を切るステップｃ）が設けられる。
【００６２】
ステップｄ）の間、複数の横断折り目線９が、一対の第１の側面壁５、５’に対して互い違いにされた底面壁３及び上面壁４を形成するように設計されている複数の連続するパネルを生成するように、長い要素８上に形成される。
【００６３】
さらにまた、それぞれの長手方向折り目線１３が、各壁３、４、５、５’について一対の第１の側翼部１４、１４’を生成するように、形成される。
【００６４】
方法は、図５Ｂ及び図５Ｃに示されているように、ステップｄ）において説明したのと同じ仕方で、それぞれの第２の側翼部１５、１５’を形成するように別々の端パネル２２、２３上に長手方向折り目線１３を形成するステップｅ）、上面壁４の横断縁１０上に端翼部１１を形成するステップｆ）及び長い要素８としての底面壁３に端パネル２２、２３を接着するステップｇ）を含む。
【００６５】
端パネル２２、２３は、組み立てられた状態における箱１の第２の側面壁６、６を画定するように適合され、折り目線１３が重なって、それらの第２の側翼部１５のうちの１つにおいて底面壁３に接着される。
【００６６】
続くステップは、図５Ｆに示されているように、第２の側面壁６、６’を、それらが底面壁３に垂直になるように、それらのそれぞれの長手方向折り目線１３に沿って直角に折り曲げるステップｈ）、及び図５Ｅに示されているように、第１の側面壁５、５’を、それらが底面壁３及び第２の側面壁６、６’に垂直になるように、それらのそれぞれの横断折り目線９に沿って折り曲げるステップｉ）である。
【００６７】
すなわち、ステップｈ）の間、それらのそれぞれの第２の側面壁６、６’に以前に接着されている、底面壁３の第１の側翼部１４、１４’もまた、それらのそれぞれの長手方向折り目線１３に沿って直角に折り曲げられる。
【００６８】
本方法は、図５Ｈに示されているように、第１の側面壁５、５’の第１の側翼部１４、１４’を折り曲げること及びそれらを第２の側面壁６、６’の内縁に接着するステップｊ）、及び、第１の側面パネル５、５’と第２の側面パネル６、６’の上側縁に重なり、上面が開いた箱１を形成するように、上面壁４を直角に折り曲げるステップｋ）をさらに含む。
【００６９】
上面壁４を折り曲げるステップｋ）を実行する前に、第２の側面壁６、６’の第２の上側の長手方向の翼部１５’は、内部に向けて直角に折り曲げられて上面壁４に、特にその内表面１９に、接着される。
【００７０】
開いている箱を包装されるべき物で満たすステップｌ）、及び、箱１が満たされたなら箱１を閉じるように、上面壁４の第１の側翼部１４、１４’を第２の側面壁６、６’の外表面１８に、折り曲げられる翼部１１を第１の側面パネル５の外表面１２に接着するステップｍ）が設けられる。
【００７１】
すべての接着するステップは、壁の角の接続領域において接着テープを用いずに、ホットメルト接着材などを用いて行われる。
【００７２】
第１の側面壁５、５’は、箱１が組み立てられていない状態にあるときに、一対の第２の側面壁６、６’の波型２の第２の伸長線ｘ、ｘ１、・・・、ｘｎに実質的に平行な第１の伸長線ｙ、ｙ１、・・・、ｙｎをもつ波型２’を有するように設計される。
【００７３】
さらにまた、第１の側面壁５、５’は、箱１に対してより大きな安定性並びに曲げ及び圧縮強さを与えるために、箱１が組み立てられた状態にあるときに、第２の伸長線ｘ、ｘ１、・・・、ｘｎに実質的に垂直な第１の伸長線ｙ、ｙ１、・・・、ｙｎを有するような位置に設けられる。
【産業上の利用可能性】
【００７４】
本発明は、シート材を包装材に処理するための工場における産業スケールで製造されることができるので、産業における応用を見出すことができる。
【図１】
2020503222.tif 000003
【図２】
2020503222.tif 000004
【図３】
2020503222.tif 000005
【図４】
2020503222.tif 000006
【図５Ａ】
2020503222.tif 000007
【図５Ｂ】
2020503222.tif 000008
【図５Ｃ】
2020503222.tif 000009
【図５Ｄ】
2020503222.tif 000010
【図５Ｅ】
2020503222.tif 000011
【図５Ｆ】
2020503222.tif 000012
【図５Ｇ】
2020503222.tif 000013
【図５Ｈ】
2020503222.tif 000014
【国際調査報告】
2020503222.tif 000015
2020503222.tif 000016
2020503222.tif 000017